(57)【要約】【課題】無線通信により受信した電子データを記憶可能な電子クリップを印刷ドキュメントに挟持させ、電子データと印刷ドキュメントとを同時に管理することができる電子クリップおよび電子クリップを用いた情報通信システムを提供する。【解決手段】電子クリップ１には、被挟持媒体を挟んで保持する挟持部７と、ＣＰＵ、ＲＡＭ、ＲＯＭおよび無線通信部を有する制御部５とが設けられている。電子クリップ１にデータの書き込みを行うライタ、データの閲覧を行うビューアは、ＡＳＫ変調により電子クリップ１へのデータを送信し、電子クリップ１は受信した電波の反射波を変調させてデータを乗せ、ライタおよびビューアにデータを送信する。利用者のＰＣで作成された電子データは、ライタによって電子クリップ１に書き込むとともに印刷でき、利用者は、その印刷ドキュメントに電子クリップ１を挟持させ、同時に管理することができる。【選択図】  図１
2004192287.tif 000002
【特許請求の範囲】
【請求項１】
被挟持媒体を挟んで保持する挟持手段と、
情報を記憶するクリップ側記憶手段と、
当該記憶手段に記憶される情報を無線通信により受発信するためのクリップ側通信手段と
を備えたことを特徴とする電子クリップ。
【請求項２】
前記クリップ側記憶手段に記憶される情報は、前記挟持手段によって挟持された前記被挟持媒体を特定するための情報を含むことを特徴とする請求項１に記載の電子クリップ。
【請求項３】
前記クリップ側通信手段には、電磁波を利用した無線通信を行うためのアンテナが設けられ、
そのアンテナは、エレメントがフラクタル形状を有することを特徴とする請求項１または２に記載の電子クリップ。
【請求項４】
請求項１乃至３のいずれかに記載の電子クリップと無線通信を行うための表示装置側通信手段と、
当該表示装置側通信手段を介して受信した、前記電子クリップに記憶された情報を記憶するための表示装置側記憶手段と、
当該表示装置側記憶手段に記憶された前記情報を、画像表示用の情報に展開する展開手段と、
当該展開手段によって展開された前記画像表示用の情報に基づいて画像を表示する画像表示手段と
を備えた電子情報表示装置と、
前記電子クリップと
から構成されたことを特徴とする電子クリップを用いた情報通信システム。
【請求項５】
前記電子情報表示装置は、前記電子クリップに挟持されるための被挟持部を備えたことを特徴とする請求項４に記載の電子クリップを用いた情報通信システム。
【請求項６】
請求項４に記載の電子情報表示装置に、
請求項１乃至３のいずれかに記載の電子クリップに記憶された情報の受信を行う表示装置通信ステップと、
当該表示装置通信ステップで受信した、前記電子クリップに記憶された情報の記憶を行う表示装置記憶ステップと、
当該表示装置記憶ステップで記憶した前記情報を、画像表示用の情報に展開する展開ステップと、
当該展開ステップで展開した前記画像表示用の情報に基づいて画像を表示する画像表示ステップと
を実行させることを特徴とするプログラム。
【請求項７】
コンピュータに対して情報の送受信を行う入出力手段と、
当該入出力手段を介して受信した前記情報を記憶する記録装置側記憶手段と、
当該記憶装置記憶手段に記憶された前記情報を画像形成用の情報に変換する変換手段と、
当該変換手段によって変換された前記画像形成用の情報に基づいて被記録媒体に画像を形成する画像形成手段と、
前記記録装置側記憶手段に記憶された前記情報を、請求項１乃至３のいずれかに記載の電子クリップに無線通信により送信するための記録装置側通信手段と
を備えた電子情報記録装置と、
前記電子クリップと
から構成されたことを特徴とする電子クリップを用いた情報通信システム。
【請求項８】
前記電子情報記録装置は、前記電子クリップに記憶された情報を、前記記録装置側通信手段によって受信し、その受信した情報を前記記録装置側記憶手段によって記憶し、その記憶した情報を前記入出力手段によって前記コンピュータに対して送信することを特徴とする請求項７に記載の電子クリップを用いた情報通信システム。
【請求項９】
請求項７に記載の電子情報記録装置に、
コンピュータから情報の受信を行う入力ステップと、
当該入力ステップで受信した前記情報の記憶を行う記録装置記憶ステップと、
当該記憶装置記憶ステップで記憶した前記情報を画像形成用の情報に変換する変換ステップと、
当該変換ステップで変換した前記画像形成用の情報に基づいて被記録媒体に画像を形成する画像形成ステップと、
前記記録装置記憶ステップで記憶した前記情報を、請求項１乃至３のいずれかに記載の電子クリップに無線通信により送信する記録装置通信ステップと
を実行させることを特徴とするプログラム。
【発明の詳細な説明】
【０００１】
【発明の属する技術分野】
本発明は、電子データの記憶と無線通信が可能な電子クリップおよび電子クリップを用いた情報通信システムに関する。
【０００２】
【従来の技術】
昨今、ワープロやパソコン等のＯＡ機器の普及により、オフィスで作成される文書（ドキュメント）は、そのほとんどが電子データとして作成される。そして、これら電子データの内容はプリンタ等の画像形成装置にて被記録媒体に印刷され管理されるが、もとの電子データは、それを作成したＯＡ機器にそのまま保存されることがしばしばあり、印刷されたドキュメントをもとにその電子データの所在を探したり、あるいは電子データから印刷ドキュメントの所在を探したりするには手間がかかっていた。
【０００３】
特許文献１では、印刷ドキュメントに無線通信が可能なクリップを挟持させ、印刷ドキュメントの所在を管理する提案がされている。また、特許文献２では、バーコードの代わりにＲＦＩＤ等の無線交信素子を用紙に漉き込んで各印刷ドキュメントにそれぞれ特異情報を持たせることで、印刷ドキュメントを用紙レベルで識別し、印刷ドキュメントの管理を行う方法が提案されている。このように印刷ドキュメント自体の管理を電子的に行えば、手間を軽減することも可能である。しかし、上記いずれの提案においても、電子データと印刷ドキュメントとは、やはり別々に保存されることになる。
【０００４】
印刷ドキュメントは、ファイルキャビネットに分類整列することで効率よく管理することができる。また、電子データは、例えばドキュメントサーバに保存して、電子データと印刷ドキュメントとの関連づけを各ドキュメントごとに行うことで、効率よく管理することができる。
【０００５】
【特許文献１】
特開２００２−３６７６８号公報
【特許文献２】
特開２００２−１２０４７５号公報
【０００６】
【発明が解決しようとする課題】
しかしながら、ドキュメントサーバに障害等が発生して可用性が失われると、その障害が取り除かれるまでの間、電子データを使用できず、また、そのサーバへのアクセスにもクライアントパソコン等の端末機が必要であり、必ずしも使い勝手が良いものとは言えない。
【０００７】
本発明は上記課題を解決するためになされたものであり、無線通信により受信した電子データを記憶可能な電子クリップを印刷ドキュメントに挟持させ、電子データと印刷ドキュメントとを同時に管理することで、印刷ドキュメントと電子データとの管理の手間を軽減することのできる電子クリップおよび電子クリップを用いた情報通信システムを提供することを目的とする。
【０００８】
【課題を解決するための手段】
上記目的を達成するために、請求項１に係る発明の電子クリップは、被挟持媒体を挟んで保持する挟持手段と、情報を記憶するクリップ側記憶手段と、当該記憶手段に記憶される情報を無線通信により受発信するためのクリップ側通信手段とを備えている。
【０００９】
この構成の電子クリップでは、電子クリップを被挟持媒体に挟んで保持させることで、利用者は被挟持媒体の管理を電子クリップに記憶された情報に基づいて行うことができる。
【００１０】
また、請求項２に係る発明の電子クリップは、請求項１に記載の発明の構成に加え、前記クリップ側記憶手段に記憶される情報は、前記挟持手段によって挟持された前記被挟持媒体を特定するための情報を含むことを特徴とする。
【００１１】
この構成の電子クリップでは、請求項１に係る発明の作用に加え、電子クリップが被挟持媒体の情報（ファイル名、文書（ドキュメント）名、作成日、作成者、キーワードなどの情報）を持つことができるので、利用者はクリップ側通信手段を介して被挟持媒体の情報を得ることができ、それに基づいて被挟持媒体の検索や並べ替え、分類などの管理を行うことができる。
【００１２】
また、請求項３に係る発明の電子クリップは、請求項１または２に記載の発明の構成に加え、前記クリップ側通信手段には、電磁波を利用した無線通信を行うためのアンテナが設けられ、そのアンテナは、エレメントがフラクタル形状を有することを特徴とする。
【００１３】
この構成の電子クリップでは、請求項１または２に係る発明の作用に加え、無線通信を行うためのアンテナのエレメントがフラクタル形状を有するアンテナであるので、平面上にアンテナ構造を形成することができ、さらにアンテナの占有面積を小さくすることができるとともに、通信性能を向上させることができる。
【００１４】
また、請求項４に係る発明の電子クリップを用いた情報通信システムは、請求項１乃至３のいずれかに記載の電子クリップと無線通信を行うための表示装置側通信手段と、当該表示装置側通信手段を介して受信した、前記電子クリップに記憶された情報を記憶するための表示装置側記憶手段と、当該表示装置側記憶手段に記憶された前記情報を、画像表示用の情報に展開する展開手段と、当該展開手段によって展開された前記画像表示用の情報に基づいて画像を表示する画像表示手段とを備えた電子情報表示装置と、記電子クリップとから構成されている。
【００１５】
この構成の電子クリップを用いた情報通信システムでは、電子クリップに記憶された情報を電子情報表示装置で読み出して画像として表示することができる。
【００１６】
また、請求項５に係る発明の電子クリップを用いた情報通信システムは、請求項４に記載の発明の構成に加え、前記電子情報表示装置は、前記電子クリップに挟持されるための被挟持部を備えている。
【００１７】
この構成の電子クリップを用いた情報通信システムでは、請求項４に係る発明の作用に加え、電子情報表示装置に設けられた被挟持部を電子クリップで挟持することができ、また、どの電子クリップが挟持しているのか容易に判別できるとともに、無線通信を安定に行える。
【００１８】
また、請求項６に係る発明のプログラムは、請求項４に記載の電子情報表示装置に、請求項１乃至３のいずれかに記載の電子クリップに記憶された情報の受信を行う表示装置通信ステップと、当該表示装置通信ステップで受信した、前記電子クリップに記憶された情報の記憶を行う表示装置記憶ステップと、当該表示装置記憶ステップで記憶した前記情報を、画像表示用の情報に展開する展開ステップと、当該展開ステップで展開した前記画像表示用の情報に基づいて画像を表示する画像表示ステップとを実行させることを特徴とする。
【００１９】
この構成のプログラムでは、電子情報表示装置は、表示装置通信ステップで、電子クリップに記憶された情報の受信を行い、表示装置記憶ステップで、表示装置通信ステップで受信した、電子クリップに記憶された情報の記憶を行い、展開ステップで、表示装置記憶ステップで記憶した情報を、画像表示用の情報に展開し、画像表示ステップで、展開ステップで展開した前記画像表示用の情報に基づいて画像を表示することができる。
【００２０】
また、請求項７に係る発明の電子クリップを用いた情報システムは、コンピュータに対して情報の送受信を行う入出力手段と、当該入出力手段を介して受信した前記情報を記憶する記録装置側記憶手段と、当該記憶装置記憶手段に記憶された前記情報を画像形成用の情報に変換する変換手段と、当該変換手段によって変換された前記画像形成用の情報に基づいて被記録媒体に画像を形成する画像形成手段と、前記記録装置側記憶手段に記憶された前記情報を、請求項１乃至３のいずれかに記載の電子クリップに無線通信により送信するための記録装置側通信手段とを備えた電子情報記録装置と、前記電子クリップとから構成されている。
【００２１】
この構成の電子クリップを用いた情報通信システムでは、電子情報記録装置は、コンピュータが出力した情報を画像形成用の情報に変換して、これに基づいて被記録媒体に画像を形成することができ、また、そのコンピュータが出力した情報を電子クリップに送信することができる。
【００２２】
また、請求項８に係る発明の電子クリップを用いた情報通信システムは、請求項７に記載の発明の構成に加え、前記電子情報記録装置は、前記電子クリップに記憶された情報を、前記記録装置側通信手段によって受信し、その受信した情報を前記記録装置側記憶手段によって記憶し、その記憶した情報を前記入出力手段によって前記コンピュータに対して送信することを特徴とする。
【００２３】
この構成の電子クリップを用いた情報通信システムでは、請求項７に係る発明の作用に加え、電子情報記録装置は、電子クリップに記憶された情報をコンピュータに送信することができる。
【００２４】
また、請求項９に係る発明のプログラムは、請求項７に記載の電子情報記録装置に、コンピュータから情報の受信を行う入力ステップと、当該入力ステップで受信した前記情報の記憶を行う記録装置記憶ステップと、当該記憶装置記憶ステップで記憶した前記情報を画像形成用の情報に変換する変換ステップと、当該変換ステップで変換した前記画像形成用の情報に基づいて被記録媒体に画像を形成する画像形成ステップと、前記記録装置記憶ステップで記憶した前記情報を、請求項１乃至３のいずれかに記載の電子クリップに無線通信により送信する記録装置通信ステップとを実行させることを特徴とする。
【００２５】
この構成のプログラムでは、電子情報記録装置は、入力ステップで、コンピュータから情報の受信を行い、記録装置記憶ステップで、入出力ステップで受信した情報の記憶を行い、変換ステップで、記憶装置記憶ステップで記憶した情報を画像形成用の情報に変換し、画像形成ステップで、変換ステップで変換した画像形成用の情報に基づいて被記録媒体に画像を形成し、記録装置通信ステップで、記録装置記憶ステップで記憶した情報を電子クリップに無線通信により送信することができる。
【００２６】
【発明の実施の形態】
本発明に係る電子クリップは、紙などの被挟持媒体を挟んで保持するクリップ内部に、例えば米アドビ社が開発したＰＤＦ（Portable Document Format）形式のドキュメントなどの電子データを記憶させることができるようにしたものである。この電子クリップへの電子データの書き込みは電子情報記録装置によって行い、また、電子情報表示装置によって電子クリップに記憶された電子データの閲覧を行うことを可能としている。そして、電子クリップ、電子情報記録装置および電子情報表示装置間での電子データの送受信は無線通信によって実現される。
【００２７】
以下、本発明の一実施の形態の電子クリップおよび電子クリップを用いた情報通信システムについて、図面を参照して説明する。まず、図１〜図３を参照して、電子クリップ１の構成について説明する。図１は、電子クリップ１の外観を示す斜視図である。図２は、電子クリップ１の電気的構成を示すブロック図である。図３は、無線通信部１５の詳細を示す回路図である。
【００２８】
図１に示すように、電子クリップ１は、略矩形の板体の長手方向の略中央部、かつ、短手方向の両端部にて、その板面と直交する方向に突設された２つの支持突起３ａを有する底板３と、その底板３とほぼ同じ大きさの板体で、長手方向の両端部が揺動可能となるように長手方向の略中央部で支持突起３ａに軸支された上板２とで構成されている。上板２と底板３とは、長手方向の一端側を挟持部７として、この挟持部７で紙等の被挟持媒体を挟んで保持することができるようにするため、他端側がそれぞれ離間する方向にバネ等の付勢手段（図示外）によって押圧されている。利用者は、その他端側を把持部６として上板２と底板３とが互いに近接する方向に押圧することで支持突起３ａを支点として挟持部７を開くことができ、把持部６への押圧を止めることで前記バネ等の付勢力により挟持部７を閉じて、挟持部７に挟んだ被挟持媒体を保持できる。また、上板２上には、無線通信やデータの記憶等を行うための制御部５が設けられている。さらに、その制御部５の外壁面には、エレメントがフラクタル形状を有するフラクタルアンテナ８が貼設されている。なお、挟持部７が、本発明における「挟持手段」である。
【００２９】
フラクタルアンテナ８は、図形のどの部分においても自己と相似な図形からなるフラクタル模様を用いて作成されたアンテナであり、多数の周波数に共振点を得ることができ、他の平面アンテナ（例えばパッチアンテナ）と比較して小さい面積で広帯域の通信が可能なアンテナである。
【００３０】
電子クリップ１は、利用者がＰＤＦ形式の電子データを内部に記憶保持することができ、後述するビューア３１（図４参照）やライタ６１（図８参照）へのその電子データの送受信は、無線通信によって行われる。図２に示すように、制御部５には、電子クリップ１の制御を司るＣＰＵ１１が設けられ、ＣＰＵ１１には、ＣＰＵ１１が実行するクリッププログラム（図示外）が記憶されたＲＯＭ１２と、電子データや、その電子データの情報（ファイル名、文書（ドキュメント）名、作成日、作成者、キーワードなどの情報）や、個々の電子クリップ１の固有の（ユニークな）ＩＤ情報等を記憶するためのＲＡＭ１３とが接続されている。ＲＡＭ１３は、例えばフラッシュメモリなどの不揮発性のメモリであり、電力の供給を受けなくとも記憶内容の維持が可能となっている。図示しないが、電子クリップ１にはバッテリが設けられており、ＣＰＵ１１はこのバッテリより電力の供給を受けて電子クリップ１の制御を行うようになっている。なお、ＩＤ情報は、電子クリップ１の製造時にユニークな番号を割り振られ、ＲＯＭ１２に記憶されるようにしても良い。なお、ＲＡＭ１３が、本発明における「クリップ側記憶手段」である。また、電子データの情報（ファイル名、文書（ドキュメント）名、作成日、作成者、キーワードなどの情報）が、本発明における「被挟持媒体を特定するための情報」に相当する。
【００３１】
また、図２に示すように、ＣＰＵ１１には、電子クリップ１が後述するビューア３１やライタ６１と無線通信を行うための無線通信部１５が接続されている。無線通信部１５は、フラクタルアンテナ８と、通信を行う際にＣＰＵ１１から出力される送信データを符号化する符号化部１６と、フラクタルアンテナ８で受信した受信波を反射させる際に、その反射波を、符号化部１６で符号化された送信データを重畳して変調させる反射変調部１７と、フラクタルアンテナ８で受信した受信波から検波を行う受信部１９と、受信部１９で検波をおこなった受信波を受信データとして復号化する復号化部１８とから構成されている。この電子クリップ１では、フラクタルアンテナ８を通じて受信した受信波の反射波に送信するデータを重畳させて、電子データを送信する通信方法が行われる。なお、無線通信部１５が、本発明における「クリップ側通信手段」である。
【００３２】
なお、図３に示すように、無線通信部１５の符号化部１６は、ＣＰＵ１１からの送信データ（Ｔｘデータ）とクロック１６ｂの出力との排他的論理和をとって出力するＥｘＯＲ回路１６ａと、クロック１６ｂとで構成されている。また、反射変調部１７は、ＥｘＯＲ回路１６ａの出力に接続された抵抗器１７ａと、抵抗器１７ａにアノードが接続され、カソードが接地されたスイッチングダイオード１７ｂと、抵抗器１７ａに接続されたコイル８ａとで構成されており、この反射変調部１７で受信した電波の変調を行う。そして、コイル８ａに接続されたフラクタルアンテナ８で、変調された電波が反射波として出力される。
【００３３】
また、受信部１９は、フラクタルアンテナ８に接続するコンデンサ１９ａと、コンデンサ１９ａにカソードが接続され、アノードが接地されたダイオード１９ｃと、前記コンデンサ１９ａにアノードが接続されたダイオード１９ｄと、ダイオード１９ｄのカソードに接続され、他極が接地されたコンデンサ１９ｂとで構成された倍電圧検波整流回路となっている。復号化部１８は、公知の、いわゆるデコーダであり、受信部１９から出力された信号がデコードされ、受信データ（Ｒｘデータ）としてＣＰＵ１１に入力される。
【００３４】
次に、図４〜図７を参照して、ビューア３１の構成について説明する。図４は、ビューア３１の外観を示す斜視図である。図５は、ビューア３１の電気的構成を示すブロック図である。図６は、ビューア３１のＲＡＭ４３の記憶エリアの構成を示す模式図である。図７は、無線通信部４８の詳細を示す回路図である。
【００３５】
ビューア３１は、電子クリップ１に記憶された電子データを読み出して、その電子データを画像として表示し、利用者が閲覧できるようにする電子情報表示装置である。図４に示すように、ビューア３１は略矩形の板状をした電子情報表示装置であり、長手方向の一端にて、その一端側から電子クリップ１がビューア３１を挟んで固定することができるように、被挟持部３２が、ビューア３１の厚み方向の表裏両側にて凹部形成されている。この被挟持部３２の幅（ビューア３１の短手方向の幅）は、電子クリップ１の短手方向の幅よりやや幅広に形成されており、電子クリップ１がビューア３１を挟持する際の位置決めができるようになっている。この被挟持部３２近傍のビューア３１内部には、後述するビューア３１の無線通信部４８に接続されたアンテナ４９が設けられている。ビューア３１に被挟持部３２が設けられていることで、利用者が電子クリップ１の電子データを閲覧する際に電子クリップ１の挟持部７をビューア３１の被挟持部３２に挟むようにし向けさせることができ、そのようにした場合に、ビューア３１のアンテナ４９と電子クリップ１のフラクタルアンテナ８とが近接するので、ビューア３１と電子クリップ１とが安定した無線通信を行うことができるようになっている。また、至近距離間での無線通信を行うため通信の際の出力を下げることが可能であり、ビューア３１および電子クリップ１の消費電力を低減させることができる。なお、ビューア３１が、本発明における「電子情報表示装置」であり、被挟持部３２が、本発明における「被挟持部」である。
【００３６】
また、ビューア３１には、被挟持部３２の近傍に設けられたサーチボタン３３と、ビューア３１の面の略２／３を占める表示部４６と、その表示部４６を挟んでビューア３１の長手方向の他端側に、表示部４６に画面表示させた電子データのページ切換を行うページ戻りキー３５，ページ送りキー３６と、電子データの表示の終了を行う終了キー３７とが設けられている。さらに、被挟持部３２の近傍のビューア３１の側面には、ビューア３１の電源のオン・オフを行う電源ボタン３８が設けられている。ここで、表示部４６には、富士ゼロックス株式会社の開発によるＥ−Ｐａｐｅｒ（登録商標）を利用すれば、ビューア３１の電源をオフとした場合でも表示内容が保持される点や、薄型・軽量を実現できる点から望ましいが、公知の液晶などを利用した表示画面を使用しても良い。なお、表示部４６が、本発明における「画像表示手段」である。
【００３７】
次に、図５に示すように、ビューア３１には、ビューア３１の制御を司るＣＰＵ４１と、ＣＰＵ４１が実行するビューアプログラム（図１４参照）が記憶されたＲＯＭ４２と、電子クリップ１から受信する電子データを記憶するＲＡＭ４３と、画像表示用のビットマップデータに展開した電子データを記憶するＶＲＡＭ４４と、そのビットマップデータに基づいて表示部４６の制御を行う駆動部４５と、ビットマップデータを可視画像として画面表示する表示部４６と、表示部４６に表示した画像のページ切換などの操作を行うページ戻りキー３５，ページ送りキー３６，終了キー３７などが設けられた入力操作部４７と、電子クリップ１に記憶した電子データ等の送受信を無線通信で行うための無線通信部４８と、その無線通信部４８に接続され、電波の受発信を行うアンテナ４９とから構成される。ＣＰＵ４１，ＲＯＭ４２，ＲＡＭ４３，ＶＲＡＭ４４，入力操作部４７および無線通信部４８は、バス５０によってそれぞれ接続されている。表示部４６は、駆動部４５を介してＶＲＡＭ４４に接続されている。
【００３８】
図６に示すように、ＲＡＭ４３には、通信を行う電子クリップ１のＩＤ情報を記憶するためのＩＤ情報記憶エリア４３ａと、電子データの情報（ファイル名、文書（ドキュメント）名、作成日、作成者、キーワードなどの情報）を記憶するためのドキュメント情報記憶エリア４３ｂと、電子データを記憶するための電子データ記憶エリア４３ｃと、ＲＯＭ４２の所定の記憶エリアに記憶されたビューアプログラム（図１４参照）が使用する変数を記憶するための変数記憶エリア４３ｄとなどが設けられている。なお、ＲＡＭ４３が、本発明における「表示装置側記憶手段」である。
【００３９】
図７に示すように、無線通信部４８は、搬送波を発振する発振回路５２と、ＣＰＵ４１からバス５０を介して入力される送信データ（Ｔｘデータ）を符号化する符号化部５１と、発振回路５２の出力と符号化部５１の出力とが入力されるバッファアンプ５３と、そのバッファアンプ５３からの出力をアンテナ４９に伝達し、また、そのアンテナ４９が受信した電波をローノイズアンプ５５（以下、「ＬＮＡ」という。）に伝達するように、入出力の分離を行う方向性結合器５４と、アンテナで受信した電波を方向性結合器５４を介して入力され、これを増幅するＬＮＡ５５と、発振回路５２の出力とＬＮＡ５５の出力との乗算を行ってホモダイン検波することで復調を行う乗算回路５６と、その出力が図示外のローパスフィルタを介して入力され、ＣＰＵ４１に送出する受信データ（Ｒｘデータ）に変換する復号化部５７とで構成される。なお、無線通信部４８が、本発明における「表示装置側通信手段」である。
【００４０】
次に、図８，図９を参照して、ライタ６１の構成について説明する。図８は、ライタ６１の外観を示す斜視図である。図９は、ライタ６１の電気的構成を示すブロック図である。
【００４１】
ライタ６１は、電子クリップ１に電子データを書き込んで記憶させるための装置であり、本実施の形態では、例えばレーザプリンタやインクジェットプリンタ、あるいはサーマルプリンタなどの公知の画像形成装置などを構成に組みこんで、電子クリップ１に電子データを記憶させるとともに、その電子データの内容が紙等の被記録媒体に印刷されるようにした電子情報記録装置である。図８に示すように、ライタ６１は、略直方体形状の筐体に、給紙部６２、排紙部６３、画像形成部６４、および被挟持部６５が設けられている。給紙部６２にセットされた用紙は画像形成部６４に搬送され、この画像形成部６４にて画像を形成されて排紙部６３より筐体外方に排出される。被挟持部６５は、ビューア３１の被挟持部３２と同様に電子クリップ１の挟持部７を挟持させて固定させる構造となっており、被挟持部６５近傍の筐体内部に無線通信部７６（図９参照）に接続されたアンテナ７７が配設されている。なお、画像形成部６４が、本発明における「画像形成手段」であり、ライタ６１が、本発明における「電子情報記録装置」である。
【００４２】
図９に示すように、ライタ６１には、ライタ６１の制御を司るＣＰＵ７１と、ＣＰＵ７１が実行するライタプログラム（図１３参照）が記憶されたＲＯＭ７２と、電子クリップ１から受信する電子データ等を記憶するＲＡＭ７３と、画像形成用のビットマップデータに展開した電子データを記憶するＶＲＡＭ７４と、そのビットマップデータに基づいて用紙への印刷を行う画像形成部６４と、ライタ６１に接続されたパーソナルコンピュータ８０（以下、「ＰＣ」という。）と電子データ等の送受信を行う入出力部７５と、電子クリップ１に記憶した電子データ等の送受信を無線通信で行うための無線通信部７６とが、バス７８によって接続されている。また、無線通信部７６には電波の受発信を行うためのアンテナ７７が設けられている。なお、入出力部７５が、本発明における「入出力手段」であり、ＲＡＭ７３が、本発明における「記録装置側記憶手段」である。また、無線通信部７６が、本発明における「記録装置側通信手段」である。
【００４３】
利用者のＰＣ８０には、制御を司るＣＰＵ８０ａと、ＣＰＵ８０ａが実行するＢＩＯＳ等のプログラムが記憶されたＲＯＭ８０ｂと、ＣＰＵ８０ａのデータ処理時に一時的なデータの記憶を行うＲＡＭ８０ｃと、後述するドライバプログラム（図１２参照）等がインストールされ記憶されるハードディスクドライブ８０ｄ（以下、「ＨＤＤ」という。）と、入出力を行うＩ／Ｏ部８０ｅとなどが設けられている。ＰＣ８０は、ライタ６１と、例えばＵＳＢケーブル等のシリアルケーブルによって接続されている。なお、ライタ６１の無線通信部７６の詳細については、図７で説明したビューア３１の無線通信部４８と略同一であるので、ここではその説明は省略する。
【００４４】
前述したように、本実施の形態では、電子クリップ１に記憶される電子データは、例えばＰＤＦ形式などのドキュメントである。ビューア３１ではこのＰＤＦ形式の電子データをビットマップデータに変換して表示部４６に画面表示するための公知の変換プログラム、いわゆるＰＤＦデコードエンジン（図示外）が、ＲＯＭ４２の所定の記憶エリアに記憶されている。このＰＤＦデコードエンジンは、ライタ６１で画像を形成するためにも利用されるため、ライタ６１のＲＯＭ７２の所定の記憶エリアにも記憶されている。
【００４５】
また、ライタ６１に接続されるＰＣ８０では、利用者が作成したドキュメントから電子クリップ１に記憶させるＰＤＦ形式の電子データへの変換が行われる。このため、ＰＣ８０には公知のＰＤＦエンコードエンジン（図示外）がインストールされることになる。具体的には、利用者のＰＣ８０には、ドライバプログラム（図１２参照）としてＰＤＦエンコードエンジンを含む電子クリップ１への電子データ書き込みを行うプログラムがインストールされる。利用者は、ドキュメントを作成したアプリケーションのメニューから印刷を選び、このドライバプログラムが実行されるように選択を行って印刷を実行することで、作成したドキュメントからＰＤＦ形式の電子データへの変換が行われる。
【００４６】
ところで、利用者がライタ６１から電子クリップ１に電子データの書き込みを行う場合、例えば、ファイル名、文書（ドキュメント）名、作成日、作成者、キーワード、コメントなど、その電子データの情報を電子クリップ１のＲＡＭ１３の所定の記憶エリアに記憶させることができる。利用者が、上述したドキュメントを作成したアプリケーションのメニューから印刷を選び、ドライバプログラム（図１２参照）が実行されたときに、図１０に例示するドキュメント情報入力画面１００が表示される。図１０は、ＰＣ８０にインストールされるドライバプログラムのドキュメント情報入力画面を示す図である。
【００４７】
図１０に示すように、ドキュメント情報入力画面１００には、ファイル名入力欄１０１と、ドキュメント名入力欄１０２と、作成日時欄１０３と、作成者入力欄１０４と、コメント入力欄１０５とが画面上方から整列して設けられ、さらに、その下方に、印刷可否選択部１０６と、閲覧用パスワード入力欄１０７とが設けられている。ドキュメント情報入力画面１００の画面下方には、プリンタ設定ボタン１１２が設けられ、最下部の左右方向に、ＯＫボタン１０８、印刷のみボタン１０９、書き込みのみボタン１１０、およびキャンセルボタン１１１が整列されている。
【００４８】
ファイル名入力欄１０１は、電子データの名称を入力する欄である。ドキュメント情報入力画面１００の起動時には、印刷を行うドキュメントのファイル名が、その拡張子をｐｄｆに変更されて表示される。この電子データの名称は、利用者が修正可能となっている。ドキュメント名入力欄１０２は、ドキュメントのタイトルを入力する欄である。作成日時欄１０３には、そのドキュメント情報入力画面１００が起動された日時が、ＰＣ８０の時計機能より参照されあらかじめ入力される。作成者入力欄１０４は、利用者の名前などを入力する欄である。コメント入力欄１０５には、そのドキュメントに対するコメントなどが入力される。ドキュメント名入力欄１０２、作成者入力欄１０４およびコメント入力欄１０５には、ドキュメントを作成したアプリケーションがそれらに対応する情報を有する場合、ドキュメント情報入力画面１００の起動時に、あらかじめそのアプリケーションから情報を得て、修正可能に表示されるようになっている。
【００４９】
印刷可否選択部１０６は、電子クリップ１に記憶させる電子データを印刷可能とするかどうかの選択を行えるように、ラジオボタンで構成されている。このラジオボタンで選択された印刷可否の情報は、ＰＤＦエンコードエンジンがＰＤＦ形式の電子データを作成する場合に反映され、「いいえ」が選択された場合には、作成された電子データから印刷を行えないようにプロテクトがかかるようになっている。これは、ＰＤＦ形式の電子データの機能として提供されているものである。ドキュメント情報入力画面１００の起動時は、印刷を行えるように、ラジオボタンは「はい」が選択されている。
【００５０】
閲覧用パスワード入力欄１０７は、印刷可否の情報と同様に、パスワードによってそのＰＤＦ形式の電子データの閲覧を制限することができるように、利用者が任意のパスワードを入力できる欄である。この機能もＰＤＦ形式の電子データの機能として提供されているものである。ドキュメント情報入力画面１００の起動時は、パスワードは設定されておらず、この状態でＰＤＦ形式の電子データが作成されると、その電子データの閲覧制限は施されない。
【００５１】
プリンタ設定ボタン１１２は、利用者がライタ６１の画像形成部６４によって実現される被記録媒体への印刷の設定を行う画面に移行するためのボタンである。なお、印刷の設定を行うためのユーザーインターフェースは、一般的に広く利用されているユーザーインターフェースであるので、ここでは詳細な説明を省略する。また、ＯＫボタン１０８、印刷のみボタン１０９、書き込みのみボタン１１０、およびキャンセルボタン１１１は、ライタ６１に対する指示を実行するためのボタンである。これら各ボタンが押されたか否かが、後述するドライバプログラム（図１２参照）における判断処理の判断条件となる。
【００５２】
次に、図３，図７，図１１を参照して、本実施の形態の電子クリップを用いた情報通信システムで行われる無線通信の方法について説明する。図１１は、符号化および復号化を説明するためのタイミングチャートである。なお、ビューア３１の無線通信部４８とライタ６１の無線通信部７６とは略同一の構成であるので、ここでは電子クリップ１とビューア３１との無線通信の方法について説明する。情報通信システムにおける無線通信は、ＲＦＩＤ（Radio Frequency Identification）方式によって行われる。この無線通信では２．４ＧＨｚ帯、または９１５ＭＨｚ帯のマイクロ波による交信が行われ、出力にもよるが、５ｍ程度の距離までの交信が可能である。
【００５３】
まず、ビューア３１が電子クリップ１に情報の送信を行う場合、図７に示すように、ビューア３１のＣＰＵ４１（図５参照）から出力された送信データ（Ｔｘデータ）が、符号化部５１に入力される。符号化部５１では、Ｔｘデータを直流分を含まない符号、本実施例ではマンチェスター符号（Bi-Phase符号）に変換する。
【００５４】
ここで、マンチェスター符号とは、クロック信号の立ち上がり（電圧：低→高）を「１」、立ち下がり（電圧：高→低）を「０」となるように符号化したもので、クロック周期の半周期のタイミングで「１」を「０１」、「０」を「１０」と置き換えることにより、クロック周期の１周期間隔の略中間のタイミングに、必ず、クロック信号の立ち上がり、もしくは立ち下がりが発生されるようにしたものである。
【００５５】
バッファアンプ５３には発振回路５２で発生された２．４ＧＨｚ帯の周波数の交流電流が入力されており、符号化されたＴｘデータがバッファアンプ５３に入力され、その出力をＡＳＫ（Amplitude shift keying）により振幅変調させる。すなわち、「１」である場合には発振回路５２の出力がオンとなり、「０」である場合にはオフとなる。アンテナ４９は送信と受信とを共用するため、方向性結合器５４を介することで、バッファアンプ５３からの出力はアンテナ４９から送信される。
【００５６】
マンチェスター符号化されアンテナ４９から送信された電波は、クロックの１周期中に必ず振幅変調が発生し、これを機に、受信側が送信側とのクロック周期のずれを調整することが可能となる。これにより、Ｔｘデータが、例えば「１１１１１１１１」と続く場合、符号化を行わなければずっと同じ振幅の電波が出力され、送信側と受信側とでクロック周期にずれが生じた場合に受信した信号が何ビット目のデータなのか不明となることを防止できる。
【００５７】
電子クリップ１がビューア３１から送信された電波を受信すると、受信部１９にて検波が行われ、復号化部１８にてデコードされる。このデコード方法については公知のBi-Phase復号によって行われる。なお、受信部１９のデコーダには、増幅回路（図示外）や、サイン波を方形波に直すデータスライサ（図示外）が設けられている。デコーダから出力された信号はＲｘデータとしてＣＰＵ１１（図２参照）に伝達され、ＣＰＵ１１による処理が行われる。
【００５８】
一方、電子クリップ１が送信を行う場合には、まず、ＣＰＵ１１（図２参照）から出力されたＴｘデータが符号化部１６に入力される。符号化部１６にてこのＴｘデータと、クロック１６ｂから出力されるクロック信号との排他的論理和がとられ、その結果が反射変調部１７のスイッチングダイオード１７ｂに印加される。すると、フラクタルアンテナ８の負荷インピーダンスがＴｘデータに基づいて変化されるので、ビューア３１から送信されて電子クリップ１で反射される電波の位相が変化され、すなわちＰＳＫ（Phase shift keying）による位相変調が行われる。
【００５９】
例えば、図１１に示すように、ＣＰＵ１１がＴｘデータとしてＴ１〜Ｔ７タイミングに「０」「１」「１」「０」「１」「０」というデータを送信する場合、各ビットのデータ（（ａ）Ｔｘデータ）がクロック周期（（ｂ）ＣＬＯＣＫ）に同期して送信される。すなわち、Ｔ１〜Ｔ２タイミングに「低」、Ｔ２〜Ｔ４タイミングに「高」、Ｔ４〜Ｔ５タイミングに「低」、Ｔ５〜Ｔ６タイミングに「高」、Ｔ６〜Ｔ７タイミングに「低」の電圧としてデータが送信される。この電圧がクロック周期に同期してスイッチングダイオード１７ｂに印加されて、前述したように、反射波のＰＳＫ変調が行われる。すなわち、Ｔ１〜Ｔ７タイミングにおいてそれぞれクロックと「同期」「位相πずれ」「位相πずれ」「同期」「位相πずれ」「同期」となる（（ｃ）符号化データ）。
【００６０】
位相変調された反射波がビューア３１にて受信されると、その反射波による信号はアンテナ４９から方向性結合器５４を介してＬＮＡ５５に入力され、増幅後に乗算回路５６に入力される。乗算回路５６には発振回路５２からの出力が入力され、これと受信した信号をかけ合わせることにより、電子クリップ１から送信されたデータが取り出され、復号化部５７に入力される。
【００６１】
復号化部５７では、受信した信号の復号化が行われる。復号化部５７では、入力された信号と、その信号をバッファ（図示外）を介して１クロック分遅らせた遅延信号との排他的論理和をとってから、前クロックタイミングにおいて復号化したデータとの加算処理を行うことによって復号化が行われる。
【００６２】
図１１に示すように、電子クリップ１から送信された「０」「１」「１」「０」「１」「０」のデータは、ＰＳＫ変調され、乗算回路５６からの出力時には、Ｔ１〜Ｔ７タイミングにてそれぞれ「高低」「低高」「低高」「高低」「低高」「高低」と、クロック周期に同期して変化する電圧として復号化部５７に入力される（（ｄ）複合化部入力）。そして、この信号を１クロック分遅らせた信号（（ｅ）遅延信号）との排他的論理和がとられる（（ｆ）ＥｘＯＲ）。Ｔ１〜Ｔ２タイミングでは、復号化部入力として「高低」すなわち「１０」と、遅延信号として１クロック前（Ｔ０〜Ｔ１タイミング）の復号化部入力「高低」すなわち「１０」との排他的論理和がとられ、「００」となる。これは、１クロック周期でみると「０」のデータとなる。以下同様に、Ｔ２〜Ｔ７タイミングの復号化部入力の「０１」「０１」「１０」「０１」「１０」と、Ｔ１〜Ｔ６タイミングの復号化部入力の遅延信号の「１０」「０１」「０１」「１０」「０１」との排他的論理和がとられ、それぞれ「１１」「００」「１１」「１１」「１１」すなわち１クロック周期でみた「１」「０」「１」「１」「１」のデータとして出力される。
【００６３】
さらに、その排他的論理和のデータに、前クロックタイミングにおけるそのデータの加算処理が行われる（（ｇ）遅延加算出力）。Ｔ１〜Ｔ２タイミングにおける排他的論理和のデータ「０」に、Ｔ０〜Ｔ１タイミングにおける排他的論理和のデータ「０」が加算された結果の「０」が、無線通信部４８で受信した受信データ（Ｒｘデータ）としてＣＰＵ４１に対して出力される（（ｈ）Ｒｘデータ）。以下同様に、Ｔ２〜Ｔ７タイミングでも排他的論理和データの加算処理が行われ、すなわちＴ２〜Ｔ７タイミングの排他的論理和のデータ「１」「０」「１」「１」「１」に、Ｔ１〜Ｔ６タイミングの排他的論理和のデータ「０」「１」「０」「１」「１」が加算され、その結果Ｔ２〜Ｔ７タイミングに「１」「１」「０」「１」「０」がＲｘデータとしてＣＰＵ４１に対して出力され、電子クリップ１の送信したデータがビューア３１で受信される。
【００６４】
次に、図１２を参照して、利用者がＰＣ８０から電子クリップ１に電子データの書き込みを行う場合にＰＣ８０で実行されるドライバプログラムの動作について説明する。図１２は、ドライバプログラムのフローチャートである。以下、フローチャートの各ステップを「Ｓ」と略記する。
【００６５】
利用者が使用するＰＣ８０上で動作する任意のアプリケーションで作成したドキュメントをＰＤＦ形式の電子データとして電子クリップ１に記憶させる場合には、そのアプリケーションの印刷メニューから、ライタ６１のドライバプログラムを選択して実行する。図１２に示すように、ドライバプログラムが実行されると、まず、ＰＣ８０のＨＤＤ８０ｄよりドライバプログラムがＲＡＭ８０ｃに読み込まれ、「フラグリセット」が行われる（Ｓ１）。利用者のＰＣ８０のＲＡＭ８０ｃの所定の記憶エリアに記憶された、後述する判断処理の条件フラグ（印刷フラグ，書き込みフラグ）のリセットが行われる。
【００６６】
次に、「印刷するドキュメントから情報を抽出」する処理が行われる（Ｓ２）。利用者がアプリケーションで作成したドキュメントから、ファイルとして保存時の名称、ドキュメントのタイトル、作成日、作成者、キーワード、コメントなどの情報の抽出が行われる。
【００６７】
そして、ＣＰＵ８０ａは、「ドキュメント情報入力画面を表示」する（Ｓ３）。図１０に示す、ドキュメント情報入力画面１００が、利用者のＰＣ８０の表示画面（図示外）に表示される。このとき、ＣＰＵ８０ａは、ＰＣ８０の時計機能より現在日時の情報を得て、作成日時欄１０３に表示する。利用者は、各欄に表示された内容の修正を行うことができる。
【００６８】
ここで、利用者がキャンセルボタン１１１を押すと（Ｓ４：ＹＥＳ）、Ｓ４の「キャンセルか？」どうかの判断処理で終了に進み、電子クリップ１への電子データの書き込みが行われない。それ以外のボタンが押された場合（Ｓ４：ＮＯ）、ＣＰＵ８０ａは、「印刷するドキュメントをＰＤＦ形式に変換」を行う（Ｓ５）。利用者がアプリケーションで作成したドキュメントが、ＰＤＦエンコードエンジンによってＰＤＦ形式に変換される。このとき、前述した印刷可否の情報やパスワードの設定が反映される。
【００６９】
ドキュメント情報入力画面１００のＯＫボタン１０８、印刷のみボタン１０９、および、書き込みのみボタン１１０が押されると、ＲＡＭ８０ｃの所定の記憶エリアに記憶され、それぞれのボタンに対応するフラグが立つ。ＯＫボタン１０８が押された場合には、印刷フラグおよび書き込みフラグがＯＮとなり、印刷のみボタン１０９では印刷フラグがＯＮとなり、書き込みのみボタン１１０では書き込みフラグがＯＮとなる。
【００７０】
次に、ＣＰＵ８０ａは、「通信開始コマンド送信」を行う（Ｓ６）。ライタ６１に通信開始コマンドが送信される。これにより、ライタ６１は、電子データ等の待ち受け状態に移行する。
【００７１】
利用者が、ＯＫボタン１０８または印刷のみボタン１０９を押した場合（Ｓ７：ＹＥＳ）、Ｓ７の「印刷を行うか？」どうかの判断処理でＳ８に進み、ライタ６１に対して「印刷コマンド送信」が行われ（Ｓ８）、Ｓ９に進む。このとき参照されるのは、印刷フラグがＯＮとなっているか否かである。書き込みのみボタン１１０が押された場合には印刷フラグはＯＦＦのままであるので（Ｓ７：ＮＯ）、ライタ６１に印刷コマンドは送信されない。
【００７２】
次に、「書き込みを行うか？」どうかの確認が行われる（Ｓ９）。ＲＡＭ８０ｃに記憶された書き込みフラグが参照され、ＯＮの場合、すなわち利用者がＯＫボタン１０８または書き込みのみボタン１１０を押した場合には（Ｓ９：ＹＥＳ）、ライタ６１に対して「書き込みコマンド送信」が行われ（Ｓ１０）、さらに「ドキュメント情報送信」が行われる（Ｓ１１）。Ｓ３の処理でＰＣ８０の表示画面（図示外）に表示したドキュメント情報入力画面１００の各欄に入力された情報が、ドキュメント情報としてライタ６１に送信される。そして、Ｓ１２の処理に進む。また、Ｓ９の判断処理で、書き込みフラグがＯＦＦである場合、すなわち利用者が印刷のみボタン１０９を押した場合にも（Ｓ９：ＮＯ）、Ｓ１２の処理に進む。
【００７３】
次いで、ＣＰＵ８０ａは、「ＰＤＦドキュメント送信」を行う（Ｓ１２）。ＣＰＵ８０ａは、Ｓ５の処理で作成したＰＤＦ形式の電子データを、ライタ６１に対して送信する。そして、電子データの送信が完了すると、ＣＰＵ８０ａはライタ６１に対して「通信終了コマンド送信」を行って（Ｓ１３）、ドライバプログラムの実行を終了する。
【００７４】
次に、図１３を参照して、利用者がＰＣ８０から電子クリップ１に電子データの書き込みを行う場合にライタ６１で実行されるライタプログラムの動作について説明する。図１３は、ライタプログラムのフローチャートである。
【００７５】
ライタ６１の電源が投入されると、ライタ６１のＣＰＵ７１は、ＲＯＭ７２の所定の記憶エリアに記憶されたライタプログラムを実行する。ＣＰＵ７１は、まず、「通信開始コマンドを受信したか？」どうかの判断処理を行い（Ｓ２１）、入出力部７５を介してＰＣ８０より通信開始コマンドを受信しない限りこの状態で待ち受けする（Ｓ２１：ＮＯ）。Ｓ６の処理（図１２参照）に基づいてＰＣ８０より発せられた通信開始コマンドを受信すると（Ｓ２１：ＹＥＳ）、ＣＰＵ７１は待ち受け状態に入り、ＰＣ８０から送られてくる電子データやドキュメント情報などのデータ（Ｓ１１，Ｓ１２の処理に基づく）を受け入れ、これら「受信データをワークエリアに記憶」する（Ｓ２２）。ワークエリアとはＲＡＭ７３の所定の記憶エリアのことであり、「通信終了コマンドを受信したか？」どうかを確認して（Ｓ２３）、その通信終了コマンドを受信しないうちは（Ｓ２３：ＮＯ）、継続して受信データの記憶を行う。また、印刷コマンドなどの各種コマンドを受信した場合は、対応するフラグを立てる。なお、Ｓ２１の判断処理でＹＥＳとなり、ＰＣ８０から電子データの受信を行う工程が、本発明における「入力ステップ」に相当し、Ｓ２２の処理で電子データをワークエリアに記憶する工程が、本発明における「記録装置記憶ステップ」に相当する。
【００７６】
そして、Ｓ１３の処理（図１２参照）に基づく通信終了コマンドを受信すると（Ｓ２３：ＹＥＳ）、ＣＰＵ７１は、「印刷を行うか？」どうかの確認を行う（Ｓ２４）。すなわち、ＣＰＵ７１はＳ８の処理（図１２参照）に基づく印刷コマンドに対応するフラグがＯＮであるかどうかを確認する。印刷コマンドに対応するフラグがＯＦＦであれば（Ｓ２４：ＮＯ）、Ｓ２８の判断処理に進む。
【００７７】
印刷コマンドに対応するフラグがＯＮであれば（Ｓ２４：ＹＥＳ）、ＣＰＵ７１は、受信している電子データの内容の印刷を行うため、「１ページ分をビットマップデータに展開」する（Ｓ２５）。ＣＰＵ７１は、ＲＯＭ７２の所定の記憶エリアに記憶されたＰＤＦデコードエンジンを起動して、ワークエリアに記憶したＰＤＦ形式の電子データの１ページ目を読み込み、ビットマップデータに変換してＶＲＡＭ７４に記憶させる。そして、「印刷実行」する（Ｓ２６）。ＣＰＵ７１は、画像形成部６４を制御して、ビットマップデータとして展開した電子データの各ドットに対応する画素を被記録媒体上に可視像として公知の方法による画像形成を行う。なお、Ｓ２５の処理で、電子データをビットマップデータに変換する工程が、本発明における「変換ステップ」に相当し、Ｓ２６の処理で、そのビットマップデータを画像として形成する工程が、本発明における「画像形成ステップ」に相当する。
【００７８】
そして、ＶＲＡＭ７４に展開した１ページ分の電子データの印刷が完了すると、「次ページはあるか？」どうか、確認が行われる（Ｓ２７）。電子データに、印刷を行ったページの次ページがあれば（Ｓ２７：ＹＥＳ）、ＣＰＵ７１はＳ２５の処理に戻り、ＰＤＦデコードエンジンによって該当ページのデータを読み込み、上記同様、ビットマップデータに変換して印刷を行う。次ページがなければ（Ｓ２７：ＮＯ）、印刷を終了してＳ２８の判断処理に進む。
【００７９】
Ｓ２８の判断処理では、ＣＰＵ７１は、「書き込みを行うか？」どうかの確認を行う（Ｓ２８）。ＣＰＵ７１は、Ｓ１０の処理（図１２参照）に基づく書き込みコマンドに対応するフラグがＯＮであるかどうかを確認する。書き込みコマンドに対応するフラグがＯＦＦであれば（Ｓ２８：ＮＯ）、Ｓ２１に戻り、次の通信開始コマンドの待ち受けを行う。
【００８０】
書き込みコマンドに対応するフラグがＯＮであれば（Ｓ２８：ＹＥＳ）、ＣＰＵ７１は、電子クリップ１が通信可能かどうか「問い合わせ」を行う（Ｓ２９）。ＣＰＵ７１は、無線通信部７６より、電子クリップ１に対して問い合わせコマンドを発信する。前述したように、ライタ６１の被挟持部６５を電子クリップ１の挟持部７で挟んでいる状態、すなわちライタ６１のアンテナ７７と電子クリップ１のフラクタルアンテナ８とが近接した状態で届く程度の出力の電波が、問い合わせコマンドを乗せて、無線通信部７６より発信される。
【００８１】
電子クリップ１は、問い合わせコマンドが届けば、無線通信部７６より発信される電波の反射波に回答レスポンスを重畳し、ライタ６１の問いかけに対する返答を行う。回答レスポンスとは電子クリップ１のＩＤ情報である。ＣＰＵ７１は、「電子クリップから応答があったか？」どうか（Ｓ３０）、このＩＤ情報を受信したかどうかで判断する。所定時間内にこの回答レスポンスを受信しなかった場合（Ｓ３０：ＮＯ）、ＣＰＵ７１は、電子クリップ１が書き込み位置、すなわち被挟持部６５にセットされていないと判断して、ＰＣ８０に「書き込みエラー表示」を行わせる所定のコマンドを送信する（Ｓ３１）。そして、電子クリップ１への書き込みを行わず、Ｓ２１に戻り、次の通信開始コマンドの待ち受けを行う。
【００８２】
電子クリップ１から回答レスポンスを受信した場合（Ｓ３０：ＹＥＳ）、「ドキュメント情報送信」と（Ｓ３２）、「ＰＤＦドキュメント送信」が行われる（Ｓ３３）。回答レスポンス以後の無線通信では、通信プロトコルに電子クリップ１のＩＤ情報が含められるので、万が一、ライタ６１のアンテナ７７に他の電子クリップが近接したとしても、通信が混同されることはない。ＣＰＵ７１は、ＲＡＭ７３のワークエリアに記憶したドキュメント情報を電子クリップ１に送信し、次いで、ＰＤＦ形式の電子データの送信を行う。電子クリップ１のＲＡＭ１３の所定の記憶エリアには、ＰＤＦ形式の電子データと、そのドキュメント情報とが記憶される。送信が完了すると、Ｓ２１に戻り、次の通信開始コマンドの待ち受けを行う。なお、Ｓ３３の処理で電子データを電子クリップに送信する工程が、本発明における「記録装置通信ステップ」に相当する。
【００８３】
次に、図１４を参照して、利用者が電子クリップ１に記憶された電子データの閲覧を行う場合にビューア３１で実行されるビューアプログラムの動作について説明する。図１４は、ビューアプログラムのフローチャートである。
【００８４】
ビューア３１の電源ボタン３８が押され、ビューア３１に電源が投入されると、ビューア３１のＣＰＵ４１は、ＲＯＭ４２の所定の記憶エリアに記憶されたビューアプログラムを実行する。ＣＰＵ４１は、まず、「開始画面表示」を行う（Ｓ４１）。例えばビューア３１のデモ画面などが、ビューア４１の表示部４６に表示される。そして、ＣＰＵ４１は、「サーチボタンが押されたか？」どうか（Ｓ４２）、入力操作部４７に接続されたサーチボタン３３の状態を、そのサーチボタン３３が押されるまで監視する（Ｓ４２：ＮＯ）。
【００８５】
サーチボタン３３が押されると（Ｓ４２：ＹＥＳ）、ＣＰＵ４１は、電子クリップ１が通信可能かどうか「問い合わせ」を行う（Ｓ４３）。ＣＰＵ４１は、無線通信部４８より、電子クリップ１に対して問い合わせコマンドを発信する。前記同様にビューア３１のアンテナ４９と電子クリップ１のフラクタルアンテナ８とが近接した状態で届く程度の出力の電波が、問い合わせコマンドを乗せて、無線通信部７６より発信される。
【００８６】
電子クリップ１の挟持部７がビューア３１の被挟持部３２を挟んでいない状態では、問い合わせコマンドが電子クリップ１に届かないので、「電子クリップから応答があったか？」どうかの判断処理では（Ｓ４４）、電子クリップ１からの回答レスポンスを所定時間内に受信することがなく（Ｓ４４：ＮＯ）、ＣＰＵ４１は、「電子クリップから応答がありません」等のメッセージを表示部４６に表示させて（Ｓ４５）、Ｓ４１の開始画面表示に戻り、Ｓ４２のサーチボタンの入力待ち状態となる。
【００８７】
電子クリップ１から回答レスポンスを受信した場合（Ｓ４４：ＹＥＳ）、ＣＰＵ４１は、「データ読込」を行う（Ｓ５１）。ＣＰＵ４１は電子クリップ１に読出コマンドを発信し、電子クリップ１がこのコマンドを受信すると、電子クリップ１は内容レスポンスを返答する。内容レスポンスとは電子クリップ１のＩＤ情報と、電子クリップ１の記憶内容、すなわち電子データとそのドキュメント情報である。受信した電子データはＲＡＭ４３の電子データ記憶エリア４３ｃに格納され、ドキュメント情報はドキュメント情報記憶エリア４３ｂに格納される。なお、Ｓ５１の処理で電子データの受信を行う工程が、本発明における「表示装置通信ステップ」に相当し、その電子データを電子データ記憶エリア４３ｃに記憶させる工程が、本発明における「表示装置記憶ステップ」に相当する。
【００８８】
そして、電子クリップ１からの内容レスポンスの受信が完了すると、ＣＰＵ４１は、電子データ記憶エリア４３ｃに記憶した電子データの「データ形式はＰＤＦか？」どうかを確認する（Ｓ５２）。電子データがＰＤＦ形式でない場合（Ｓ５２：ＮＯ）、ＣＰＵ４１は、「ＰＤＦファイルではありません」等のメッセージを表示部４６に表示させて（Ｓ５３）、Ｓ４１の開始画面表示に戻り、Ｓ４２のサーチボタンの入力待ち状態となる。
【００８９】
電子データの形式がＰＤＦであった場合には（Ｓ５２：ＹＥＳ）、ＣＰＵ４１はそのＰＤＦ形式の電子データの「総ページ数を確認、記憶」して、そのページ数を変数Ｑとして変数記憶エリア４３ｄに記憶させる（Ｓ５４）。さらに、変数記憶エリア４３ｄに、変数Ｐとして「Ｐ＝１」を記憶させる（Ｓ５５）。
【００９０】
そして、ＣＰＵ４１は、表示部４６に「Ｐページ目を表示」する（Ｓ６１）。ＣＰＵ４１は、ＰＤＦデコードエンジンを起動して、電子データ記憶エリア４３ｃに記憶した電子データのＰページ目（ここでは１ページ目）を読み込み、ビットマップデータに変換してＶＲＡＭ４４に記憶させる。そして、ＣＰＵ４１は、駆動部４５を制御して、ビットマップデータとして展開した電子データの各ドットに対応する表示部４６の各ドットに表示を行わせ、表示部４６に電子データの内容の表示を行う。なお、Ｓ６１の処理で電子データをビットマップデータに変換する工程が、本発明における「展開ステップ」に相当し、そのビットマップデータを表示部４６に表示させる工程が、本発明における「画像表示ステップ」に相当する。
【００９１】
次に、ＣＰＵ４１は、「キー入力はあるか？」どうかの確認を行って（Ｓ６２）、Ｐページ目を表示したままキー入力の待ち受けを行う（Ｓ６２：ＮＯ）。ビューア３１のいずれかのキーが押されると（Ｓ６２：ＹＥＳ）、ＣＰＵ４１は、そのキーが「ページ送りキーか？」（Ｓ６３）、「ページ戻りキーか？」（Ｓ６６）、「終了キーか？」（Ｓ６９）どうかを確認し、そのいずれでもない場合は（Ｓ６３：ＮＯ、Ｓ６６：ＮＯ、Ｓ６９：ＮＯ）、Ｓ６２に戻り、キーの入力待ちを行う。
【００９２】
Ｓ６２のキー入力待ちからページ送りキー３６が押された場合（Ｓ６３：ＹＥＳ）、ＣＰＵ４１は「Ｐ＜Ｑか？」どうか（Ｓ６４）、変数記憶エリア４３ｄに記憶した２つの変数Ｐ，Ｑを比較して、実質的に、現在表示中の電子データのページ（Ｐ）が電子データの最終ページ（Ｑ）である場合には（Ｓ６４：ＮＯ）、何も行わず、Ｓ６６，Ｓ６９を経てＳ６２のキー入力待ち状態に戻る。
【００９３】
Ｓ６４の判断処理で、現在表示中の電子データのページ（Ｐ）が電子データの最終ページ（Ｑ）でなければ（Ｓ６４：ＹＥＳ）、ＣＰＵ４１は表示部４６に電子データの次ページを表示するため、「Ｐ＝Ｐ＋１」として変数Ｐの値を１加算し（Ｓ６５）、Ｓ６１に戻り、前述と同様に、ＰＤＦデコードエンジンにて次ページをビットマップデータに変換して表示部４６に表示し、Ｓ６２のキー入力待ちを行う。
【００９４】
Ｓ６２のキー入力待ちからページ戻りキー３５が押された場合には（Ｓ６６：ＹＥＳ）、ＣＰＵ４１は「Ｐ＞１か？」どうか（Ｓ６７）、前記同様、変数Ｐ，Ｑの比較を行い、実質的に、現在表示中の電子データのページ（Ｐ）が電子データの１ページ目であれば（Ｓ６７：ＮＯ）、何も行わず、Ｓ６９を経てＳ６２のキー入力待ち状態に戻る。
【００９５】
Ｓ６７の判断処理で、現在表示中の電子データのページ（Ｐ）が電子データの１ページ目でなければ（Ｓ６７：ＹＥＳ）、ＣＰＵ４１は表示部４６に電子データの前ページを表示するため、「Ｐ＝Ｐ−１」として変数Ｐの値を１減算し（Ｓ６８）、Ｓ６１に戻り、前記同様、ＰＤＦデコードエンジンにて前ページをビットマップデータに変換して表示部４６に表示する。
【００９６】
Ｓ６２のキー入力待ちから終了キー３７が押された場合には（Ｓ６９：ＹＥＳ）、ＣＰＵ４１は電子データの内容の表示を終了し、Ｓ４１に戻って開始画面表示を行う。そして次の電子クリップ１の表示が行えるように、サーチボタン３３の入力待ちを行う。
【００９７】
以上説明したように、本実施の形態の電子クリップおよび電子クリップを用いた情報通信システムは、紙等の被挟持媒体を挟持するクリップに電子データの記憶が行えるようにし、電子データの出入力にはＲＦＩＤを応用した無線通信によって行うものである。このため、電子クリップ１は、通信用の端子を露出させることがなく、汚れやほこり等による通信障害や故障などが発生しにくい。また、ライタ６１は、利用者のＰＣ８０で作成された電子データを電子クリップ１に書き込むものであり、どの電子データの書き込みと同時に、その電子データの内容を被記録媒体に印刷することができる。ビューア３１は、電子クリップ１に記憶された電子データを読み込んで画像表示するものであり、電子クリップ１に記憶された電子データの内容を、印刷しなくとも確認することができる。
【００９８】
なお、本発明は各種の変形が可能なことはいうまでもない。例えば、本実施の形態では、電子データの形式をＰＤＦ形式としたが、ＰＤＦ形式だけでなく、ＢＭＰ（Bit MaP）形式、ＪＰＥＧ（Joint Photographic Codintg Expert Group）形式、ＴＩＦＦ（Tagged Image File Format）形式、ＰＩＣＴ形式、ＥＰＳ（Encapsulated PostScript）形式、ＧＩＦ（Graphics Interchange Format）形式、ＰＮＧ（Portable Network Graphics）形式などの画像ファイル形式や、ＴＥＸＴ形式、ＤＯＣ形式、ＨＴＭＬ形式、ＣＳＶ（Comma Separated Value）形式、ＳＹＬＫ（SYmbolic LinK format）形式などの文書ファイル形式などの電子データ形式を扱えるようにしても良い。この場合に、各ファイル形式に対応したエンコード・デコードエンジンが必要となるが、これらエンジンはそれぞれの装置のＲＯＭに記憶させても良い。また、それらエンジンをそれぞれの装置のＲＡＭに記憶させるようにして、利用者が任意のエンジンをインストールできるようにした、いわゆるプラグインとして提供しても良い。
【００９９】
また、電子クリップ１に記憶させる電子データは、必ずしも被挟持媒体と同一のデータである必要はない。例えば、ＣＡＤ図面等に電子クリップを挟んで、ＣＡＤ図面の名称、説明、その他情報を電子クリップ１に記憶させても良く、被挟持媒体に深い関わりを持った情報であればよい。
【０１００】
また、本実施の形態ではライタ６１は、画像形成部６４を有しているが、画像形成部６４を有さず、電子クリップ１への書き込み機能のみを持たせた装置として提供しても良く、あるいは、ビューア３１に電子クリップ１への書き込み機能を持たせても良い。また、電子クリップ１は図示外のバッテリを備え、これより電力の供給を受けて駆動されるが、この電子クリップ１をビューア３１の被挟持部３２やライタ６１の被挟持部６５に挟持しているときに、公知の電磁誘導による充電を行う構成としても良い。
【０１０１】
また、電子データの送受信を行う場合のデータの信頼性を高めるため、送信されるデータに、例えばハミング符号などのチェックコードを付加して送信を行い、エラー訂正や、訂正不能の場合にデータの破棄などを行うようにしてもよい。また、ＲＦＩＤの無線通信は、公知の周波数ホッピング技術を応用した通信を行って、ノイズ対策を行っても良い。
【０１０２】
また、ライタ６１に電子クリップ１からの電子データの読み出しを行えるようにして、あるいは、ビューア３１にＰＣ８０との通信インターフェースを設け、電子クリップ１の記憶する電子データをＰＣ８０に転送できるようにして、ＰＣ８０で電子データの２次加工を行えるようにしても良い。また、方向性結合器５４は、サーキュレータによっても良い。また、符号化部５１の符号化方式は、直流分を含まない符号化方式ならば、その他の符号化方式を用いても良い。
【０１０３】
【発明の効果】
以上説明したように、請求項１に係る発明の電子クリップでは、電子クリップを被挟持媒体に挟んで保持させることで、利用者は被挟持媒体の管理を電子クリップに記憶された情報に基づいて行うことができる。従って、ドキュメントの管理を効率よく行うことができる。
【０１０４】
また、請求項２に係る発明の電子クリップでは、請求項１に係る発明の効果に加え、電子クリップが被挟持媒体の情報（ファイル名、文書（ドキュメント）名、作成日、作成者、キーワードなどの情報）を持つことができるので、利用者はクリップ側通信手段を介して被挟持媒体の情報を得ることができ、それに基づいて被挟持媒体の検索や並べ替え、分類などの管理を行うことができる。従って、ドキュメントの管理を効率よく行うことができる。
【０１０５】
また、請求項３に係る発明の電子クリップでは、請求項１または２に係る発明の効果に加え、無線通信を行うためのアンテナのエレメントがフラクタル形状を有するアンテナであるので、平面上にアンテナ構造を形成することができ、さらにアンテナの占有面積を小さくすることができるとともに、通信性能を向上させることができる。従って、電子クリップの小型化を図ることができる。
【０１０６】
また、請求項４に係る発明の電子クリップを用いた情報通信システムでは、電子クリップに記憶された情報を電子情報表示装置で読み出して画像として表示することができる。従って、利用者は、紙等の被記録媒体に情報を記録しなくとも電子クリップに記憶された情報を得ることができるので、資源の消費を節約することができる。
【０１０７】
また、請求項５に係る発明の電子クリップを用いた情報通信システムでは、請求項４に係る発明の効果に加え、電子情報表示装置に設けられた被挟持部を電子クリップで挟持することができ、また、どの電子クリップが挟持しているのか容易に判別できるとともに、無線通信を安定に行える。従って、利用者が電子クリップを被挟持部に挟むように誘導することで、電子クリップが電子情報表示装置に近接されて無線通信距離が近くなるので、無線通信に必要な電力を下げ、かつ、安定した通信を行うことができる。
【０１０８】
また、請求項６に係る発明のプログラムでは、電子情報表示装置は、表示装置通信ステップで、電子クリップに記憶された情報の受信を行い、表示装置記憶ステップで、表示装置通信ステップで受信した、電子クリップに記憶された情報の記憶を行い、展開ステップで、表示装置記憶ステップで記憶した情報を、画像表示用の情報に展開し、画像表示ステップで、展開ステップで展開した前記画像表示用の情報に基づいて画像を表示することができる。従って、利用者は、紙等の被記録媒体に情報を記録しなくとも電子クリップに記憶された情報を得ることができるので、資源の消費を節約することができる。
【０１０９】
また、請求項７に係る発明の電子クリップを用いた情報システムでは、電子情報記録装置は、コンピュータが出力した情報を画像形成用の情報に変換して、これに基づいて被記録媒体に画像を形成することができ、また、そのコンピュータが出力した情報を電子クリップに送信することができる。従って、被記録媒体に形成した画像と同内容の情報を電子クリップに記憶させることができ、その画像が形成された被記録媒体に、画像の元となる情報を記憶した電子クリップを挟んで、一元的に管理することがでできる。利用者は、視認性に優れた被記録媒体に形成された画像により、情報を確認した後、電子クリップに保持されている電子データにアクセスすることができる。
【０１１０】
また、請求項８に係る発明の電子クリップを用いた情報通信システムでは、請求項７に係る発明の効果に加え、電子情報記録装置は、電子クリップに記憶された情報をコンピュータに送信することができる。従って、利用者は、電子クリップに記憶された情報をコンピュータで扱うことができる。また、利用者は、視認性に優れた被記録媒体に形成された画像により、情報を確認した後、電子クリップに保持されている電子データにアクセスすることができる。
【０１１１】
また、請求項９に係る発明のプログラムでは、電子情報記録装置は、入出力ステップで、コンピュータから情報の受信を行い、記録装置記憶ステップで、入出力ステップで受信した情報の記憶を行い、変換ステップで、記憶装置記憶ステップで記憶した情報を画像形成用の情報に変換し、画像形成ステップで、変換ステップで変換した画像形成用の情報に基づいて被記録媒体に画像を形成し、記録装置通信ステップで、記録装置記憶ステップで記憶した情報を電子クリップに無線通信により送信することができる。従って、コンピュータから受信した情報を、被記録媒体に画像として形成するとともに、その被記録媒体を挟持できる電子クリップに記憶させることができるので、利用者は、電子クリップと、電子クリップが保持する情報と同内容の情報が画像として形成された被記録媒体とを同時に管理することができる。
【図面の簡単な説明】
【図１】図１は、電子クリップ１の外観を示す斜視図である。
【図２】図２は、電子クリップ１の電気的構成を示すブロック図である。
【図３】図３は、無線通信部１５の詳細を示す回路図である。
【図４】図４は、ビューア３１の外観を示す斜視図である。
【図５】図５は、ビューア３１の電気的構成を示すブロック図である。
【図６】図６は、ビューア３１のＲＡＭ４３の記憶エリアの構成を示す模式図である。
【図７】図７は、無線通信部４８の詳細を示す回路図である。
【図８】図８は、ライタ６１の外観を示す斜視図である。
【図９】図９は、ライタ６１の電気的構成を示すブロック図である。
【図１０】図１０は、ＰＣ８０にインストールされるドライバプログラムのドキュメント情報入力画面を示す図である。
【図１１】図１１は、符号化および復号化を説明するためのタイミングチャートである。
【図１２】図１２は、ドライバプログラムのフローチャートである。
【図１３】図１３は、ライタプログラムのフローチャートである。
【図１４】図１４は、ビューアプログラムのフローチャートである。
【符号の説明】
１  電子クリップ
７  挟持部
８  フラクタルアンテナ
１３  ＲＡＭ
１５  無線通信部
３１  ビューア
３２  被挟持部
４３  ＲＡＭ
４６  表示部
４８  無線通信部
６１  ライタ
６４  画像形成部
７３  ＲＡＭ
７５  入出力部
７６  無線通信部
【図１】
2004192287.tif 000003
【図２】
2004192287.tif 000004
【図３】
2004192287.tif 000005
【図４】
2004192287.tif 000006
【図５】
2004192287.tif 000007
【図６】
2004192287.tif 000008
【図７】
2004192287.tif 000009
【図８】
2004192287.tif 000010
【図９】
2004192287.tif 000011
【図１０】
2004192287.tif 000012
【図１１】
2004192287.tif 000013
【図１２】
2004192287.tif 000014
【図１３】
2004192287.tif 000015
【図１４】
2004192287.tif 000016